(57)【要約】【課題】本発明は、ガラスとサッシとの間のゴム部分からの侵入を防ぐための機能を備えたサッシ用防犯プレートを提供することを目的とするものである。【解決手段】本発明は、防犯プレート本体１の一辺に沿って、この防犯プレート本体１の表面側に略直角に折り曲げ形成された立ち上げ辺２と、防犯プレート本体１の裏面に形成された透明粘着材４と、この透明粘着材４に覆着された剥離紙５とを備える。【選択図】図２
2010270539.tif 000002
【特許請求の範囲】
【請求項１】
ガラス戸の錠周囲を覆い、ガラスの破壊による解錠操作を防止する防犯プレートにおいて、
板状の防犯プレート本体と、
該防犯プレート本体の一辺に沿って、同防犯プレート本体の一方の面側に略直角に折り曲げ形成された立ち上げ辺と、
前記防犯プレート本体の他方の面に形成された粘着材とを備える
防犯プレート。
【請求項２】
前記粘着材上に、剥離紙が覆着された
請求項１に記載の防犯プレート。
【請求項３】
前記防犯プレート本体の一方の面及び他方の面の少なくとも一方に表示文字が形成された
請求項１または請求項２に記載の防犯プレート。
【請求項４】
前記粘着材が透明状に構成された
請求項３に記載の防犯プレート。
【請求項５】
前記防犯プレート本体が縦１２ｃｍおよび横９ｃｍ以上に構成された
請求項１、請求項２、請求項３または請求項４に記載の防犯プレート。
【発明の詳細な説明】
【技術分野】
【０００１】
本発明は、防犯プレートに関する。詳しくはアルミサッシのガラス面等に貼り付けることで防犯機能を向上できる防犯プレートに係るものである。
【背景技術】
【０００２】
例えば、家屋の窓やバルコニー等で用いられているアルミサッシ等の引き戸には、部外者が屋内に侵入するのを防止するための錠としてクレセント錠が広く採用されている。しかし、クレセント錠による施錠だけでは、アルミサッシのクレセント錠に対応するガラス部分だけを割ってクレセント錠を解錠すれば容易に侵入できることが知られている。
【０００３】
そこで、サッシ窓の防犯対策として、その内部に金網や鉄線を入れたガラス材を用いたり、あるいはペアガラスを使用したりする場合がある。しかし、金網や鉄線を入れたガラス材を用いた場合には、ドライバー、あるいは千枚通し等で容易に穴を開けることができ、かつガラス片が飛散しないために音を立てずに容易に侵入することができてしまう。また、ペアガラスを使用した場合には、ドライバー、あるいは千枚通し等での突き破りが可能であり、かつ購入時や修理時のコストが高くなってしまう。
【０００４】
また、別の対策として、サッシ窓の外側に侵入防止の格子を取り付ける場合ある。しかし、取り付けられる格子はアルミニウム製などの軽量で薄いものが多く、バール等によって破壊し易く、かつ格子があることで安心してしまってクレセント錠をかけ忘れることが多い。
【０００５】
また、クレセント錠自体にロック機構を取付けたもの、あるいはクレセント錠にカバーを取付けるといった対策もあるが、窓ガラスを大き目に割られれば、外から指を差し入れてロックの解除、あるいはカバーを容易に取外すことができてしまう。
【０００６】
そこで、ガラス戸の鍵の防犯プレートとして、例えば特許文献１に記載されたものが知られている。具体的には図７に示すように、両引き戸１０１のクレセント錠１０２を屋外側から見えなくなるように覆うことができ、かつ屋外引き戸１０３のガラス１０４に貼り付け可能なプレート本体１０５と、このプレート本体１０５の裏面に設けられた接着層（図示せず）とを備えた構成の防犯プレートが知られている。
【先行技術文献】
【特許文献】
【０００７】
【特許文献１】特開２０００−３０６１７３号公報
【発明の概要】
【発明が解決しようとする課題】
【０００８】
しかしながら、ガラス１０４にプレート本体１０５を貼り付けてクレセント錠１０２を保護したとしても、ガラス１０４とサッシの間にマイナスドライバー、又は千枚通しを差し込んで、"てこの原理"を利用して力を加えると、極めて容易にガラス１０４に亀裂を生じさせることができる。そして、数カ所の亀裂を生じさせた後に、手や工具等でガラスを叩くことによって、ガラスを破ることができてしまう。
更には、プレート本体１０５がガラス１０４に粘着していることによりガラス全体が割れることによる音の発生や飛散することがないために、家人や周囲の人に、気づかれずに侵入されるという問題がある。
【０００９】
本発明は、以上の点に鑑みて創案されたものであって、外部からの侵入を充分に防ぐことができる機能を備えた防犯プレートを提供することを目的とするものである。
【課題を解決するための手段】
【００１０】
上記の目的を達成するために、本発明に係る防犯プレートは、ガラス戸の錠周囲を覆い、ガラスの破壊による解錠操作を防止する防犯プレートにおいて、板状の防犯プレート本体と、該防犯プレート本体の一辺に沿って、同防犯プレート本体の一方の面側に略直角に折り曲げ形成された立ち上げ辺と、前記防犯プレート本体の他方の面に形成された粘着材とを備える。
【００１１】
ここで、防犯プレートの立ち上げ辺をガラス戸の縦枠の側面に沿って圧接させるようにして防犯プレート本体の他方の面（裏面）をガラス面に貼着することによって、ガラス面が強化されガラスを突き破られる可能性が一段と低くなると共に、立ち上げ辺によってガラスとガラス戸の縦枠の側面との間の領域を被うことによりドライバーや千枚通しなどを差し込むことができなくなりガラスのこじ破りを防止することが可能となる。
【００１２】
また、粘着材上に、剥離紙が覆着されたことによって、防犯プレートをガラス面に貼着する際に剥離紙を剥がすことで防犯プレート本体の他方の面（裏面）に形成される粘着材が露出し、容易にガラス面に貼着することが可能となる。
【００１３】
また、防犯プレート本体の一方の面（表面）及び他方の面（裏面）の少なくとも一方に表示文字が形成された、例えば防犯プレート本体の一方の面（表面）に「防犯実施中」の文字を印刷することによって侵入者が窓ガラスに防犯が施されていることを認識すると共に、防犯プレート本体の他方の面（裏面）に「避難口」の文字を印刷することによって災害等の発生時の脱出口の認識をすることが可能となる。
【００１４】
また、粘着材が透明状とされたことにより防犯プレート本体の他方の面（裏面）に文字を印刷した場合に粘着材を通して文字を認識することが可能となる。
【００１５】
また、防犯プレート本体が縦１２ｃｍおよび横９ｃｍ以上とされたことにより、防犯プレートの周囲のガラスを破壊する場合には大きな穴を開けて腕を差し入れなければ錠を解錠することができず非常に手間がかかることから犯行を思い止らせることができる。
【発明の効果】
【００１６】
本発明の防犯プレートによれば、ガラス戸面に錠をブロックするように防犯プレートを貼着することにより、錠周囲のガラス面が強化され、ドライバーや千枚通しなどによってガラスを突き破られる可能性が一段と低くなる。
【００１７】
また、防犯プレート本体の一辺に沿って折り曲げ形成された立ち上げ辺によってガラス戸の縦枠の側面とガラスの間の領域を被うことによりドライバーや千枚通しなどを差し込んで行うガラスのこじ破りを防止することが可能となる。
【図面の簡単な説明】
【００１８】
【図１】本発明を適用した防犯プレートの一例を示す斜視図である。
【図２】本発明を適用した防犯プレートの一例を示す裏面図である。
【図３】本発明を適用した防犯プレートの断面拡大説明図である。
【図４】本発明を適用した防犯プレートの他の例を示す斜視図である。
【図５】本発明を適用した防犯プレートをサッシ窓に取り付けた状態を示す説明図である。
【図６】本発明を適用した防犯プレートの取り付け状態を示す説明図である。
【図７】従来の防犯プレートの一例を示す説明図である。
【発明を実施するための形態】
【００１９】
以下、本発明の実施の形態を図面を参酌しながら説明し、本発明の理解に供する。
図１は、本発明を適用した防犯プレートの一例を示す斜視図、図２は、本発明を適用した防犯プレートの一例を示す裏面図、図３は、本発明を適用した防犯プレートの断面拡大説明図である。
【００２０】
ここで示す防犯プレートは、縦および横の寸法が約１２ｃｍ×９ｃｍとされたアルミニウム、あるいはステンレスよりなる平板状の金属より形成された防犯プレート本体１を有している。なお、アルミニウム板では軽量、かつ安価であるが鋭利な工具等によって突き通される恐れがある。また、ステンレス板では強度に優れている反面、アルミニウム板に比べて高価となる。
【００２１】
また、防犯プレート本体１の一辺には、引き戸窓枠と窓ガラスとの境界より立ち上げるために、数ミリメートル程度の幅で略直角状に折り曲げられた立ち上げ辺２が折り曲げ形成されている。
【００２２】
また、防犯プレート本体１の表面には反射塗料等によって赤色に塗装し、この上に白色の表示文字３によって「防犯実施中」と印刷がされている。一方、防犯プレート本体１の裏面は緑色に塗装し、その上に白色の表示文字３によって「避難口」と印刷されている。
【００２３】
更に、防犯プレート本体１の裏面には透明粘着材４を塗布し、防犯プレート本体１の裏面に印刷された白色の表示文字３の「避難口」が窓ガラスを通して屋内より視認することができる構成とされている。
【００２４】
また、透明粘着材４を剥離紙５によって覆着することによって、窓ガラス（図示せず。）に貼り付ける際に剥離紙５を取り剥がすのみで良く、容易に貼り付けを行うことができる構成とされている。
【００２５】
なお、図４（図４（イ）はクレセント錠が引き戸の上部にある場合を示し、図４（ロ）はクレセント錠が引き戸の下部にある場合を示す。）に示すように、クレセント錠が引き戸窓枠（図示せず。）の上部、あるいは下部に取り付けられている場合には、サッシと窓ガラスとの上端、あるいは下端との境界に設けられるゴム部分（図示せず。）よりマイナスドライバー等によって差し込まれる恐れがあるので防犯プレート本体１と引き戸窓枠との上端、あるいは下端に接する辺にも立ち上げ辺２を形成することが望ましい。
【００２６】
以上の構成の防犯プレートをサッシ窓に取り付けた状態を図５及び図６に示す。ここで、サッシ窓は、サッシ枠（図示せず。）に互いに引き違い状となるように走行自在に嵌め込まれた屋外引き戸６及び屋内引き戸６Ａと、これらの両引き戸６、６Ａを本締めするためのクレセント錠７を備え、更に両引き戸６、６Ａの枠内にガラス８が嵌め込まれている。
【００２７】
また、クレセント錠７は、屋外引き戸６の縦枠９の枠内端面に固定された被掛止爪１０と、屋内引き戸６Ａの縦枠９Ａの枠外端面に固定された錠本体１１とから構成されている。
【００２８】
ここで、防犯プレートの貼り付け時には、屋外引き戸６の屋外側ガラス８面に対して防犯プレート本体１の裏面に覆着される剥離紙５を取り剥がして防犯プレートの立ち上げ辺２を屋外引き戸６の縦枠９の側面に沿って圧接させた状態で、かつクレセント錠７が立ち上げ辺２側の略中央に位置するようにして粘着する。
【００２９】
次に、屋外側ガラス８面に貼着された防犯プレート本体１の表面に対して、この防犯プレート本体１より大きめとした透明フイルム１２よってガラス８面に露出する防犯プレート本体１の各辺が被さるような状態で覆着する。
【００３０】
このようにして屋外側ガラス８面にクレセント錠７をブロックするように防犯プレートを貼着することにより、ガラス８を突き破られる可能性が一段と低くなる。
【００３１】
また、防犯プレート本体１の表面に反射塗料による「防犯実施中」の表示文字３が印刷されることによって昼夜を問わず、侵入者が窓ガラスに防犯が施されていることを認識し、侵入を思い止らせることを期待することができる。
【００３２】
また、防犯プレート本体１の裏面に反射塗料による「避難口」の表示文字３が印刷されることによって昼夜を問わず、天災、火災などの災害の発生時に脱出口の認識が植えつけられことで避難にかかる時間の短縮が可能となる。
【００３３】
また、防犯プレートの立ち上げ辺２を屋外引き戸６の縦枠９の側面に沿って圧接させることによってガラス８と縦枠９の側面との間のゴム部分（図示せず。）を被うことによりドライバーや千枚通しなどによりゴム部分を差し込むことができなくなりガラスのこじ破りを防止することが可能となる。
【００３４】
更に、防犯プレート本体１の表面を、この防犯プレート本体１より大きめとした透明フイルム１２よって覆着することによって防犯プレート本体１の各辺とガラス８との間にドライバーや千枚通しなどを差し込んで防犯プレート１をガラス８面より取り剥がすことを防止することが可能となる。また、風雨、気温の変化等により環境の変化による防犯プレートの粘着の低下を防止することが可能となる。
【符号の説明】
【００３５】
１      防犯プレート本体
２      立ち上げ辺
３      表示文字
４      透明粘着材
５      剥離紙
６      屋外引き戸
６Ａ    屋内引き戸
７      クレセント錠
８      ガラス
９      縦枠
１０    被掛止爪
１１    錠本体
１２    透明フィルム
【図１】
2010270539.tif 000003
【図２】
2010270539.tif 000004
【図３】
2010270539.tif 000005
【図４】
2010270539.tif 000006
【図５】
2010270539.tif 000007
【図６】
2010270539.tif 000008
【図７】
2010270539.tif 000009